(57)【特許請求の範囲】
【請求項１】
建物の床部防水層３に続き、床部１からの立ち上がり部２にも防水層４が形成され、その立ち上がり防水層４の前面には耐水性ボード６が設けられ、そのボード６の上端は、前記立ち上がり部２上部に固定の下向き断面コ字状の上ホルダー７に支持され、下端は、前記立ち上がり部２又は床部１に支持されてなる、建物床部１からの立ち上がり部２のその上ホルダー７による耐水性ボード６上端の支持構造において、
上記上ホルダー７の支持部材１３は、上記立ち上がり部２にその長さ方向所要間隔でビス１４止めされ、その上ホルダー７は、上記耐水性ボード６が設けられる立ち上がり部２長さ方向の全長に亘り連続して設けられ、前記支持部材１３への上ホルダー７の取付けは、支持部材１３に対し、上ホルダー７を前記長さ方向に移動する嵌め合いによってなされており、
かつ、上記支持部材１３の先端部１３ｃ下面後側にその下方に延びる当て片１３ｂを設け、その当て片１３ｂに上記上ホルダー７の後側プレートを嵌め込み固定するとともに、前記支持部材１３の先端部１３ｃを、前記上ホルダー７上端の突片７ａの上面に重ねたのちその下面に至らせてカシメることにより、支持部材１３に上ホルダー７を固定したことを特徴とする耐水性ボード６上端の支持構造。
【請求項２】
建物の床部防水層３に続き、床部１からの立ち上がり部２にも防水層４が形成され、その立ち上がり防水層４の前面には耐水性ボード６が設けられ、そのボード６の上端は、前記立ち上がり部２上部に固定の下向き断面コ字状の上ホルダー７に支持され、下端は、前記立ち上がり部２又は床部１に支持されてなる、建物床部１からの立ち上がり部２のその上ホルダー７による耐水性ボード６上端の支持構造において、
上記上ホルダー７の支持部材１３は、上記立ち上がり部２にその長さ方向所要間隔でビス１４止めされ、その上ホルダー７は、上記耐水性ボード６が設けられる立ち上がり部２長さ方向の全長に亘り連続して設けられ、前記支持部材１３への上ホルダー７の取付けは、支持部材１３に対し、上ホルダー７を前記長さ方向に移動する嵌め合いによってなされており、
かつ、上記支持部材１３の先端部１３ｃ下面後側にその下方に延びる当て片１３ｂを設け、その当て片１３ｂに上記上ホルダー７の後側プレートを嵌め込み固定するとともに、前記支持部材１３の先端部１３ｃと前記上ホルダー７上端の突片７ａとを重ね、その重ね部に爪１６を嵌めて、支持部材１３に上ホルダー７を固定したことを特徴とする耐水性ボード６上端の支持構造。
【請求項３】
建物の床部防水層３に続き、床部１からの立ち上がり部２にも防水層４が形成され、その立ち上がり防水層４の前面には耐水性ボード６が設けられ、そのボード６の上端は、前記立ち上がり部２上部に固定の下向き断面コ字状の上ホルダー７に支持され、下端は、前記立ち上がり部２又は床部１に支持されてなる、建物床部１からの立ち上がり部２のその上ホルダー７による耐水性ボード６上端の支持構造において、
上記上ホルダー７の支持部材１３は、上記立ち上がり部２にその長さ方向所要間隔でビス１４止めされ、その上ホルダー７は、上記耐水性ボード６が設けられる立ち上がり部２長さ方向の全長に亘り連続して設けられ、かつ、前記支持部材１３の先端部下面下方に延びる当て片１３ｂを断面逆Ｔ字状とし、その当て片１３ｂに前記上ホルダー７の上端を落下不能に嵌めて、支持部材１３に対し、上ホルダー７を前記長さ方向に移動可能に取付けたことを特徴とする耐水性ボード６上端の支持構造。
【発明の詳細な説明】
【０００１】
【発明の属する技術分野】
この発明は、パラペットや屋上塔屋など、建物床部からの立ち上がり部の防水構造における、その前面を覆う耐水性ボードの上端の支持構造に関するものである。
【０００２】
【従来の技術】
この種の建物床部の一つである陸屋根床部からの立ち上がり部の防水処理は、例えば立ち上がり部上面に笠木を取付ける構造のものにあっては、図１５、図１６に示すように、床部防水層３に続き、床部１からの立ち上がり部２に防水層４を形成し、床部１の防水層３上面にコンクリートにより押え材層５を形成するとともに、立ち上がり防水層４の前面には耐水性ボード６を設け、この押え材層５及び耐水性ボード６によって防水層３、４を太陽光等から守っている。（特開平１−２１０５６２号公報等参照）。
【０００３】
【発明が解決しようとする課題】
上記防水処理構造において、従来におけるその耐水性ボード６の上端支持は、図１５、図１６に示すように、立ち上がり部上面にビス止めした笠木９取付用の中間ホルダー１０ａ及びジョイントホルダー１０ｂに、立ち上がり部２長さ方向全長に亘る断面下向きコ字状の上ホルダー７をボルトナット１１締めで取付け、その上ホルダー７に耐水性ボード６上端を嵌めている。一方、耐水性ボード６下端の支持は、下ホルダー８を床部１（押え材層５）にビス止めし、その下ホルダー８に嵌めている。
【０００４】
しかしながら、上ホルダー７を笠木用ホルダー１０ａ、１０ｂにボルト締めすることは煩わしい。また耐水性ボード６をスムースに嵌めるためには、上ホルダー７を直線状とする必要があるが、笠木９の取付け位置によってそのホルダー１０ａ、１０ｂは位置決定されるため、ボルト１１をその穴１１ａ内を移動させて、上ホルダー７を直線状としなくてはならない。この移動しながらのボルト締付は煩わしく、さらにホルダー１０ａ、１０ｂの取付状態では、ボルト１１の移動のみでは、その直線状を得られない場合もある。
【０００５】
この発明は、上記の実情の下、ボルト締めによる上ホルダー７の取付けを止め、かつ、上ホルダー７の直線状を得易くすることを課題とする。
【０００６】
【課題を解決するための手段】
上記課題を解決するために、この発明にあっては、上述の耐水ボード６の上下端をホルダー７、８で支持する構造において、その上端支持構造を下記の▲１▼、▲２▼の構成としたのである。
【０００７】
▲１▼  上記上ホルダー７の支持部材１３は、上記立ち上がり部２にその長さ方向所要間隔でビス１４止めされている。
【０００８】
▲２▼  上記ホルダー７は、上記耐水性ボード６が設けられる立ち上がり部２長さ方向の全長に亘り連続して設けられ、上記支持部材１３への上ホルダー７の取付けは、支持部材１３に対し、上ホルダー７を前記長さ方向に移動する嵌め合いによる。
【０００９】
この上端支持構造において、上記支持部材１３の先端部１３ｃを、上ホルダー７上端突片７ａ上面に重ねたのちその下面に至らせてカシメることにより、支持部材１３に上ホルダー７の固定したものとするとよい。
【００１０】
また、上記上ホルダー７は、耐水性ボード６上端の後面と前面を押して挾持する対のプレート７１、７２とから成り、その後プレート７１は、上記支持部材１３の先端部下面下方に延びる当て片１３ａに上記長さ方向に移動する嵌め合いによって取付けられ、前記前プレート７２は、前記支持部材１３先端部に、前側からの嵌め込みによって取付けられている構成とすることもできる。
【００１１】
さらに、上述の耐水性ボード６の上下端をホルダー７、８で支持する構成において、その上端支持構造を下記▲３▼、▲４▼の構成とすることができる。
【００１２】
▲３▼  上記上ホルダー７の支持部材１３は、上記立ち上がり部２にその長さ方向全長に亘ってビス止めされている。
【００１３】
▲４▼  上記上ホルダー７は、上記支持部材１３の先端部下面下方に延びた前後のプレート７１、７２から成り、その前プレート７２は、その上縁で支持部材１３に折曲可能に連続されて、後プレート７１との係止手段７１ａ、７２ａが設けられており、この係止がなされた時、前後プレート７１、７２で耐水性ボード６上端が挾持されている。
【００１４】
【作用】
このように構成するこの発明は、支持部材１３を立ち上がり部２の所要位置にビス止めし、その支持部材１３に上ホルダー７をスライドによって嵌めて取付ける。下ホルダー８は従来と同様に取付け、両ホルダー７、８間に耐水性ボード６を嵌める。
【００１５】
このとき、上ホルダー７が前後対のプレート７１、７２から成るものは、後プレート７１を支持部材１３に嵌めたのち、耐水性ボード６上端をその後プレート７１に当てがい、その前面に前プレート７２を当てがって支持部材１３に嵌め、両プレート７１、７２で耐水性ボード６上端を挾持して支持する。
【００１６】
また、上ホルダー７が支持部材１３と一体になっているものは、支持部材１３を取付けたのち、その前プレート７２を持ち上げた状態で、後プレート７１に耐水性ボード６上端を当てがい、その前面に前プレート７２を下げて当てがって後プレート７１に嵌め、両プレート７１、７２で耐水性ボード６上端を挾持して支持する。
【００１７】
【効果】
この発明は以上のように構成し、上記作用によって下記の効果▲１▼〜▲３▼を発揮する。
【００１８】
▲１▼  耐水性ボード６上端支持用の部材１３を別個に設けたので、笠木９等の他の取付状態に制限されることがなくなり、その支持部材１３の取付に従来より融通がきき、上ホルダー７の直線性も出し易い。
【００１９】
▲２▼  支持部材１３に対し上ホルダー７をスライドによる嵌め合いによって取付け得るようにしたので、その取付け作業もし易い。このとき、支持部材１３の先端をカシメれば、その取付けはより確実となる。
【００２０】
▲３▼  上ホルダー７を対のプレート７１、７２より成し、耐水性ボード６上端を後プレート７１に当てがったのち、前プレート７２をその前側から嵌め込む、いわゆる前嵌合によって取付けるようにすれば、その嵌め込む前に、耐水性ボード６上端の後プレート７１への当てがわれ度合を目視できるため、その支持が確実となるとともに、作業もし易い。
【００２１】
【発明の実施の形態】
図１乃至図３に一実施形態を示し、陸屋根の床部防水層３に続き、床部１からの立ち上がり部２にも防水層４が形成され、この防水層４は立ち上がり部２の上面に至ってその前縁にシール１２が盛られている。防水層３、４は、アスファルト塗り、防水シート張りなどによって形成する。
【００２２】
床部１の上面にはコンクリート打設により押え材層５が形成され、この押え材層５によって防水層３の押え及び遮光などを行う。押え材層５は、目地材５ａを介在して立ち上がり防水層４に接しており、押え材層５が寒暖により伸縮してもその目地材５ａが伸縮してその伸縮を吸収し、押え材層５によって防水層４が突き上げられて損傷することが防止される。
【００２３】
立ち上がり防水層４の前面には耐水性ボード６が設けられ、このボード６下端は目地材５ａにビス止めの下ホルダー８に嵌められている。一方、上端は後述の上ホルダー７に嵌められている。
【００２４】
立ち上がり部２上面には笠木９がその全長に亘って設けられる。この笠木９は、中間ホルダー１０ａ及びジョイントホルダー１０ｂを立ち上がり部２上面にビス止めし、その各ホルダー１０ａ、１０ｂの前後端に嵌め込むことによって取付ける（図１、図３参照）。笠木９の継目ａは、そのジョイントホルダー１０ｂの中程が前後方向の凹凸溝となっており、その継目ａから侵入した雨水はその溝を伝わって立ち上がり部２の外面及び耐水性ボード６の前面に流れ落ちる。
【００２５】
上記各ホルダー１０ａ、１０ｂ間の立ち上がり部２上面中程には上ホルダー７の支持部材１３がビス止めされている。支持部材１３の位置は、ビス１４の穴１３ａ内の移動によって調節する。支持部材１３の先端部１３ｃ下面には下方に延びる当て片１３ｂが設けられている。
【００２６】
耐水性ボード６の上ホルダー７は、断面下向きコ字状をした、例えば２〜３ｍ程度の長尺物であって、各支持部材１３の当て片１３ｂと先端部１３ｃの間に横方向からスライド（移動）させて嵌める。このとき、一本の上ホルダー７に４個の支持部材１３が嵌合するようにする。各支持部材１３の先端部１３ｃは図３鎖線状態からカシメによって、上ホルダー７の突片７ａの下面側に折曲して上ホルダー７を確実に支持する。各上ホルダー７の継目にはジョイント片１５を嵌めて連結する。
【００２７】
このように上ホルダー７を立ち上がり部２上面に取付けた後、耐水性ボード６上端をこの上ホルダー７内に挿し込み、そののち、下端を下ホルダー８に落し込んで、両ホルダー７、８によって耐水性ボード６を支持する。図中、７ｂ、８ｂはクッション材である。なお、笠木９は、耐水性ボード６を取付けた後、ホルダー１０ａ、１０ｂに嵌めることが好ましいが、上ホルダー７を取付けた後、耐水性ボード６を嵌める前にホルダー１０ａ、１０ｂに嵌めてもよい。
【００２８】
図４乃至図７には、上ホルダー７の断面形状及び支持部材１３との嵌合構造を変えた例を示す。図４の実施形態は、支持部材１３の先端部１３ｃを前もって横向きＵ字状とし、そのＵ字状先端部１３ｃに上ホルダー７の突片７ａを嵌め、その部分は、爪１６を嵌めることにより外れを防止したものである。
【００２９】
図５の実施形態は、支持部材１３の当て片１３ｂを短くするとともに、先端部１３ｃもフック状とし、両者１３ｂ、１３ｃに上ホルダー７の上端を嵌め込むようにしたものである。図６の実施形態は、当て片１３ｂを逆Ｔ字状とするとともに、先端部１３ｃもフック状として、その嵌合部分に上ホルダー７の上端を嵌めたものである。図７に示すように、先端部１３ｃは真直ぐとして爪１６を嵌める構造とし得る。
【００３０】
図８及び図９に示す実施形態は、耐水性ボード６上端を上ホルダー７に下側から嵌めるのではなく、前側から嵌める、いわゆる前嵌合としたものである。図８の実施形態は、上ホルダー７が前後のプレート片７１、７２から成り、その後プレート７１は、支持部材１３にその当て片１３ｂに横から嵌めて取付け、前プレート７２は、その後プレート７１に耐水性ボード６上端を当てがった後、支持部材１３にその先端部１３ｃ及び爪片１３ｄに先端部を係止して取付け、この両プレート７１、７２でもって、クッション材７ｂを介在して耐水性ボード６上端を挾持して支持する。
【００３１】
このとき、後プレート７１は、耐水性ボード６の設置長さ全長に亘って設けることが好ましいが、前プレート７２は、同様に全長に亘るものでなくても、耐水性ボード６の所要個所を所要長さ押えるピースものでもよい。耐水性ボード６のジョイント部では、この前プレート７２が両側の耐水性ボード６、６に５０ｍｍ程がかかるようにする。
【００３２】
図９の実施形態は、支持部材１３が耐水性ボード６の設置長さ全長に亘るものであり、その先端部に上ホルダー７を一体に設けている。前プレート７２は、その上端で折曲可能となっており、同図鎖線のごとく、上にあげた状態で、後プレート７１に、耐水性ボード６上端を当てがい、同図実線のごとく、爪片７１ａ、７２ａを係止して、両プレート７１、７２でもって、クッション材７ｂを介在して耐水性ボード６上端を挾持して支持する。
【００３３】
なお、上述の各実施形態は、笠木タイプのものであったが、図１０、図１１に示すように、笠木９ではなく、水切りプレート１０を使用するタイプの立ち上がり部でも、同様にして、上述の支持部材１３と上ホルダー７の構成、すなわち、本願発明を採用し得ることは勿論である。
【００３４】
また、下ホルダー８は、床部１（押え材層５）でなく、図１２、１３に示すように立ち上がり部２前面下部に取付けてもよく、さらに、図１４に示すように、下ホルダー８をモルタルｍでなしてもよい。
【００３５】
さらに、この発明は、陸屋根床部にかぎらず、建物の他の床部においても採用し得ることは言うまでもない。
【図面の簡単な説明】
【図１】一実施形態の一部切欠き斜視図
【図２】同実施形態の要部一部除去斜視図
【図３】同実施形態の要部断面図
【図４】他の実施形態の要部断面図
【図５】他の実施形態の要部断面図
【図６】他の実施形態の要部断面図
【図７】他の実施形態の要部断面図
【図８】他の実施形態の要部断面図
【図９】他の実施形態の要部概略図
【図１０】他の実施形態の要部概略図
【図１１】他の実施形態の要部概略図
【図１２】下ホルダーの他例の要部断面図
【図１３】下ホルダーの他例の要部断面図
【図１４】下ホルダーの他例の要部断面図
【図１５】従来例の一部斜視図
【図１６】同従来例の断面図
【符号の説明】
１  陸屋根床部
２  立ち上がり部
３  床部防水層
４  立ち上がり防水層
５  コンクリート押え材層
６  耐水性ボード
７  上ホルダー
７ａ  上ホルダーの突片
７ｂ  クッション材
８  下ホルダー
８ｂ  クッション材
９  笠木
１０  水切りプレート
１０ａ  笠木支持部材
１０ｂ  笠木ジョイント部材
１１  ボルト・ナット
１２  シール
１３  上ホルダー支持部材
１４  ビス
１５  ジョイント片
１６  爪
７１  上ホルダー後プレート
７２  上ホルダー前プレート
ａ  笠木の継目
【図１】
0003637116.tif 000002
【図２】
0003637116.tif 000003
【図３】
0003637116.tif 000004
【図４】
0003637116.tif 000005
【図５】
0003637116.tif 000006
【図６】
0003637116.tif 000007
【図７】
0003637116.tif 000008
【図８】
0003637116.tif 000009
【図９】
0003637116.tif 000010
【図１０】
0003637116.tif 000011
【図１１】
0003637116.tif 000012
【図１２】
0003637116.tif 000013
【図１３】
0003637116.tif 000014
【図１４】
0003637116.tif 000015
【図１５】
0003637116.tif 000016
【図１６】
0003637116.tif 000017